(57)【要約】  【課題】  掛けた物が脱落しにくく装飾性も備えた壁掛け用フックを提供する。  【解決手段】  正面側に設けられた飾り面と、下部位置に設けられ、内部に付勢バネ８を備えた挿入部６と、飾り面の反対側に設けられた係合凹部２２とを備えた飾り体１と、壁面に当てられる背面部と、壁面側から膨らむように突出させ、突片部２１を備えた膨出部１２と、物を吊下げる鉤部１３とを含むフック本体部２とから構成され、飾り体１をフック本体部２に装着する際に、鉤部１３を挿入部６内に入れて付勢バネ８により鉤部１３を係止させるとともに、飾り体１の係合凹部２２とフック本体部２の突片部２１を係合させるように構成した。【選択図】  図４
2005323696.tif 000002
【特許請求の範囲】
【請求項１】
飾り体をフック本体部に装着する壁掛け用フックであって、
正面側に設けられた飾り面と、下部位置に設けられ、内部に抜け防止具を備えた挿入部と、背面側に設けられた第１係合部とを備えた飾り体と、
壁面に当てられる背面部と、壁面側から膨らむように突出させ、第２係合部を備えた膨出部と、物を吊下げる鉤部とを含むフック本体部とから構成され、
飾り体をフック本体部に装着する際に、鉤部を挿入部内に入れて抜け防止具により鉤部を係止するとともに、飾り体の第１係合部とフック本体部の第２係合部を係合させるように構成したことを特徴とする、壁掛け用フック。
【請求項２】
請求項１に記載の壁掛け用フックにおいて、前記膨出部が傾斜面を含んでおり、その傾斜面にフック本体部を壁面に取り付ける固定具が予め装着してある、壁掛け用フック。
【請求項３】
請求項１ないし請求項２のいずれか一項に記載の壁掛け用フックにおいて、飾り体をフック本体部に装着するときに、固定具の頭部及び膨出部の一部と飾り体とが干渉しないように飾り体の背面側に逃げ部が設けられている、壁掛け用フック。
【請求項４】
請求項３に記載の壁掛け用フックにおいて、前記逃げ部が飾り体の背面側に設けられた逃げ凹部により構成してある、壁掛け用フック。
【請求項５】
請求項１ないし請求項４のいずれか一項に記載の壁掛け用フックにおいて、フック本体部の第２係合部を膨出部から外側に飛び出るように設けた突片部で構成し、飾り体の第１係合部を逃げ部域にある係合凹部で構成した、壁掛け用フック。
【請求項６】
請求項１ないし請求項５のいずれか一項に記載の壁掛け用フックにおいて、抜け防止具を付勢バネで構成した、壁掛け用フック。
【請求項７】
請求項２に記載の壁掛け用フックにおいて、上側の第１傾斜面と下側の第２傾斜面で略三角形状の膨出部を構成し、第１傾斜面に固定具を取り付けるとともに、壁面と略三角形状の膨出部の間に固定具の膨出部への止め具を設けた、壁掛け用フック。
【発明の詳細な説明】
【技術分野】
【０００１】
本発明は壁掛け用フックに関し、特に飾り機能を持たせた壁掛け用フックに関する。
【背景技術】
【０００２】
従来、フックに掛けた物が容易には脱落しないようにした壁掛け用フックが各種提案されている。
例えば、下記特許文献１には、鉤形のフックに開閉自在に作動するバネ蓋を設け、そのバネ蓋によりフックの開口部を閉じることにより、一度掛けた物が脱落しない構成になっている。
【０００３】
一方、壁掛け用フックに装飾機能を持たせたものも各種提案されている。例えば、特許文献２には壁掛け用フックの上部に装飾箱を設け、その装飾箱に小物入れとしての機能と子鏡としての機能を持たせた構成が提案されている。
また、特許文献３には装飾機能とフック機能を備えたものとしてフック状のつり金具を収容できる装飾板付きの鋲が提案されている。
【０００４】
【特許文献１】実開平７−１３２１０「外れ止め付きフック」
【特許文献２】実開平７−３６８６６「壁面用ハンガー」
【特許文献３】実登３０４３７３７「吊具が収納出来るフック飾鋲」
【発明の開示】
【発明が解決しようとする課題】
【０００５】
しかしながら、上記従来技術であれば下記のような課題がある。
特許文献１の構成であれば、フックに掛けた物が脱落しにくいという効果は得られるが、フックとバネ蓋が露出した構成なので壁面を装飾する機能はない。
【０００６】
特許文献２の構成であれば、壁面を装飾できるという効果は得られるが、脱落防止機能がないうえに、装飾体はフックと一体であるため装飾形態が限定され面白みが少ないという課題がある。
特許文献３の構成では装飾板を螺合により取り付ける構成であるため装着時に装飾板を回す必要があり、ワンタッチで手軽に取り付けにくいという課題がある。
【０００７】
本発明は上記課題に鑑みてなされたものであり、本発明の目的は上記課題を解決できる壁掛け用フックを提供することにある。
具体的な目的の一例を示すと、以下の通りである。
（ａ）壁面を装飾するという機能は保持しつつ、一度掛けた物が脱落しにくい機能も備える壁掛け用フックを提供する。
（ｂ）掛けた物が脱落しにくいという機能は有しつつ、ワンタッチで飾り体を装着できる壁掛け用フックを提供する。
（ｃ）壁に取り付けられた一種類のフックに対して、必要に応じて多種多様な飾り体を取り付け可能な新規な壁掛け用フックを提供する。
なお、上記に記載した以外の発明の課題及びその解決手段は、後述する明細書内の記載において詳しく説明する。
【課題を解決するための手段】
【０００８】
本発明は多面的に表現できるが、例えば、代表的なものを挙げると、次のように構成したものである。
第１発明は、飾り体をフック本体部に装着する壁掛け用フックであって、
正面側に設けられた飾り面と、下部位置に設けられ、内部に抜け防止具を備えた挿入部と、背面側に設けられた第１係合部とを備えた飾り体と、
壁面に当てられる背面部と、壁面側から膨らむように突出させ、第２係合部を備えた膨出部と、物を吊下げる鉤部とを含むフック本体部とから構成され、
飾り体をフック本体部に装着する際に、鉤部を挿入部内に入れて抜け防止具により鉤部を係止するとともに、飾り体の第１係合部とフック本体部の第２係合部を係合させるように構成したことを特徴とする。
【０００９】
第２発明は、第１発明において、前記膨出部が傾斜面を含んでおり、その傾斜面にフック本体部を壁面に取り付ける固定具が予め装着してあることを特徴とする。
第３発明は、第１発明ないし第２発明のいずれか一つに記載の発明において、飾り体をフック本体部に装着するときに、固定具の頭部及び膨出部の一部と飾り体とが干渉しないように飾り体の背面側に逃げ部が設けられていることを特徴とする。
【００１０】
第４発明は、第３発明において、前記逃げ部が飾り体の背面側に設けられた逃げ凹部により構成してあることを特徴とする。
第５発明は、第１発明ないし第４発明のいずれか一つに記載の発明において、フック本体部の第２係合部を膨出部から外側に飛び出るように設けた突片部で構成し、飾り体の第１係合部を逃げ部域にある係合凹部で構成したことを特徴とする。
【００１１】
第６発明は、第１発明ないし第５発明のいずれか一つに記載の発明において、抜け防止具を付勢バネで構成したことを特徴とする。
第７発明は、第２発明において、上側の第１傾斜面と下側の第２傾斜面で略三角形状の膨出部を構成し、第１傾斜面に固定具を取り付けるとともに、壁面と略三角形状の膨出部の間に固定具の膨出部への止め具を設けたことを特徴とする。
【００１２】
以下、上記第１発明〜第７発明の各構成について説明する。
第１発明において、「飾り面」は少なくとも飾り体の正面側に形成するとともに側面にも形成することが好ましい。
「第１係合部」、「第２係合部」としては、後述する実施形態のように凸凹部による嵌合が例示できる。後述する第１実施形態を一例に取って説明すれば、第１係合部７として係合凹部２２が設けられ、第２係合部１１として突片部２１が設けられている。なお、第１実施形態の構成とは逆に、第１係合部７を凸部とし、第２係合部１１を凹部で構成することも可能である。さらに第１係合部と第２係合部の係合は係止作用があればよく、凹凸による嵌合だけに限定されない。
【００１３】
フック本体部を鋼板で構成し、「膨出部」を鋼板を折り曲げて膨出させて構成することもできる。また、フック本体部を合成樹脂などで構成し、背面部、膨出部、鉤部を一体成型によって構成してもよい。
【００１４】
第２発明において、「固定具」としては、ピン、雄螺子などが例示できる。特に石膏などの取り付けにくい壁面であったとしてもしっかりと固定できる固定具を採用することが好ましい。
「膨出部」は複数の傾斜面等を組み合わせて四角形状、台形形状などに構成することもできる。
【発明の効果】
【００１５】
以下、各発明の効果などについて説明する。
第１発明であれば、下記の特有の効果を有する。
（イ）飾り体をフック本体部に装着する際に、鉤部を挿入部に入れ、抜け防止具により鉤部を係止するとともに、飾り体の第１係合部とフック本体部の膨出部に設けた第２係合部を互いに係合させるように構成したので、２つの位置で飾り体はフック本体部に支持されることになり、飾り体がフック本体部にから簡単には脱落しないようにすることができる。
（ロ）飾り体をフック本体部に装着する際に、飾り体の挿入部へフック本体部の鉤部を入れて抜け防止具による係止を行う操作を行うことにより、飾り体の第１係合部とフック本体部の第２係合部の係合が自然に行われるので、掛けた物が脱落しにくいという機能は有しつつ、ワンタッチで飾り体を装着できる。
（ハ）飾り体とフック本体部を別体で構成してあるので、必要に応じて、壁に取り付けられた一種類のフックに対して、多種多様な飾り体を取り付け可能なように構成することもできる。その場合は飾り体を代えることにより壁面に異なる装飾を施すことができ、面白みを増すことができる。
【００１６】
第２発明であれば、傾斜面にフック本体部を壁面に取り付ける固定具が予め装着してあるので、壁面に斜め方向に固定具が取り付けられることになり、フック本体部の壁面への固定強度を向上させることができる。また、フック本体部に固定具が予め装着されているのでフック本体部を壁面に取り付ける作業が簡単に行える。
【００１７】
第３発明であれば、固定具の頭部及び膨出部の一部と飾り体とが干渉しないように飾り体の背面側に逃げ部が設けられているので、飾り体とフック本体部が接近した状態で装着されることになり、フック本体部を飾り体で隠すように構成することができる。
【００１８】
第４発明であれば、逃げ凹部内に固定具の頭部及び膨出部の一部を収容するようになるので、飾り体の前面方向からのみならず、側面からもフック本体部は見えにくくなる効果がある。このように構成することで、フック本体部の存在を意識せず、あたかも飾り体のみが壁面に取り付けられているような感じを抱かせるようにすることが可能になる。
【００１９】
第５発明であれば、飾り体をフック本体部に取り付けるときに装着しやすく、外しやすい構成にすることができる。
第６発明であれば、付勢バネで鉤部の先端部を付勢することによって係止作用を得ることができ、簡単かつ確実な抜け防止具を構成することができる。
【００２０】
第７発明であれば、上側の第１傾斜面と下側の第２傾斜面で略三角形状の膨出部を構成し、第１傾斜面に固定具を取り付けることにより、壁面へ固定具の取り付けが行いやすくなる。また、壁面と略三角形状の膨出部の間に固定具の膨出部への止め具を設けたのでデッドスペースを利用して膨出部へ固定具をしっかり止めることができる。
【発明を実施するための最良の形態】
【００２１】
以下、本発明の実施の形態を図面に基づき説明する。
図１は本発明の第１実施形態を示す壁掛け用フックの斜視図、図２はフック本体部の概略側面図、図３は飾り体を正面側から見た概略図である。
図１に示すように、この壁掛け用フック３はフック本体部２に脱落防止具としての飾り体１を装着することにより、掛けた物が外れにくいように構成されている。
【００２２】
まず、フック本体部について説明する。
図２に示すようにフック本体部２は、壁面に対して平行な背面部１０と、フック本体部２の上部域に設けられ、背面部１０から膨らませるように構成した膨出部１２と、フック本体部２の下部域に設けられた鉤部１３とを含んで構成してある。鉤部１３は略Ｕ形、略Ｖ字形などに構成される。
【００２３】
図２に示す構成では膨出部１２は、第１傾斜面２４と第２傾斜面２５を備えた略直角三角形の２面で構成してある例が示してある。第１傾斜面２４は第２傾斜面２５に比べて長く、第１傾斜面２４の背面部１０に対する角度は３０゜〜４０゜の範囲内に構成してあり、図２においては３５゜程度に設定してある。
【００２４】
第１傾斜面２４にはそのほぼ中央部に開口部２６が設けられ、その開口部２６に予め固定具１５が止め具２８によって装着してある。固定具１５は螺子、ピン２７などで構成される。図２に示す構成では固定具１５はピン２７で構成し、止め具２８はナットで構成してある。ピン２７にはナットと螺合する雄ネジ部が設けられている。
【００２５】
第２傾斜面２５には下方に向けて突片部２１が形成してある。鉤部１３の先端部には折曲部２３が形成してあり、その折曲部２３は第２傾斜面２５と略平行になるように下方に向けて折り曲げてある。
【００２６】
次に、飾り体について図３、図４を参照しつつ説明する。
図３に示すように第１実施形態に示す構成では、飾り体１は外形が熱帯魚の形をしており、飾り面４としての正面側に熱帯魚の彩色（図３では図示せず）が施されている。飾り体１の下部側には挿入部６が形成してあり、その挿入部６内に抜け防止具５としての付勢バネ８が設けてある。この実施形態では付勢バネ８は略Ｖ字形の板バネ（図４参照）で構成してある。
【００２７】
図４に示すように、付勢バネ８はフック本体部２の鉤部１３が挿入されたときに、鉤部１３の先端部を付勢バネ８と挿入部６の壁との間で挟み込むことにより、飾り体１をフック本体部２に係止するように構成してある。
図４（Ｂ）に示すように飾り体１の背面側には固定具１５の頭部域及び膨出部１２の一部が干渉しないようにする逃げ部１９が形成してある。本実施形態では逃げ部１９は逃げ凹部２０で構成してある。逃げ凹部２０の下方側位置には係合凹部２２が形成され、その係合凹部２２とフック本体部２の突片部２１が係合して飾り体１を固定するように構成してある。
【００２８】
図４（Ａ）〜（Ｃ）はそれぞれ第１実施形態における飾り体とフック本体部の装着形態を説明するための図である。
なお、図４では熱帯魚形の飾り体１は断面が略樽型の飾り体で簡略化して描いている。
図４（Ａ）に示すように、まずフック本体部２を壁面１７に固定具１５を差し込むことによって壁面１７に平行に当接させてしっかりと固定する。そして壁面１７に固定したフック本体部２の鉤部１３に紐１８などで吊すことにより物を掛ける。
【００２９】
この状態で図４（Ａ）に示すように、まず、飾り体１の挿入部６に鉤部１３の折曲部２３を差し込むように操作する。次に、図４（Ｂ）に示すように飾り体１を壁面１７に対して押し付けるようにしながら、挿入部６内に鉤部１３を奥へと入れていくように操作する。
【００３０】
そして飾り体１の逃げ凹部２０がピン２７の頭部及び膨出部１２を収容するように挿入部６内に鉤部１３を入れていくと、図４（Ｃ）に示すように挿入部６内で鉤部１３の先端部が付勢バネ８により挿入部６の正面側壁３１に押しつけられる状態になるとともに、逃げ凹部２０の係合凹部２２と突片部２１とが嵌り込む状態になる。この状態では付勢バネ８の押圧力と突片部２１と係合凹部２２の係止作用により、吊下げの紐１８が揺動したり、上下に移動することになったとしても、鉤部１３に掛けられた紐１８が外れる虞を少なくすることができる。
【００３１】
取り外すときは図４（Ｃ）、図４（Ｂ）、図４（Ａ）のように逆に操作することにより、簡単に飾り体１をフック本体部２から取り外すことができる。即ち、飾り体１を前方に倒しながら、挿入部６から鉤部１３を抜くように斜め上方に引っ張ることにより簡単に飾り体１を外すことができる。
【００３２】
このように飾り体１を前方に倒しつつ斜め上方に引き上げる動作は、吊り下げた物の紐１８が揺動したり、上下に移動するだけでは起こりにくい力の作用になるので、脱落防止具としての機能を果たすことになる。また、飾り体１によるフック本体部２のピン２７と膨出部１２の一部が隠れることになるので、飾り体１を装着した状態ではフック本体部２がほぼ見えなくなり、装飾性の高い壁掛け用フックとなる。
【００３３】
このような構成であれば、脱落防止と装飾性の両方を満足することができるとともに、各種の飾り体１の構成において、その挿入部６、逃げ部１９、係合凹部２２の相対位置を同じにすれば、飾り体１の形状及び外形を自由に変えることができるので、壁面１７に取り付けられたフック本体部２を取り替えることなく、飾り体１のみを代えることにより、フックの装飾形態をいろいろに変化させることができる。
さらにフック本体部２とピン２７は予め一体化された構成なので、フック本体部２を壁面１７に固定することが簡単に行える利点がある。
【００３４】
（第２実施形態）
図５は本発明の第２実施形態を示す壁掛け用フックの縦断面図である。
この第２実施形態の特徴は、飾り体１を比較的薄い板形のもので構成し、その下半部に挿入部６を形成する筒体３０を設け、その筒体３０内に付勢バネ８を収容した構成とした点にある。このような構成なので筒体３０の上部域には飾り体１のない逃げ部１９が自然に形成されることになる。
【００３５】
また、フック本体部１の突片部２１に対応する係合凹部２２を筒体３０の上部所定位置に設けた構成としてある。図５に示す構成では、筒体３０を下面が開放された略長方形体で構成し、その上壁と側壁の角上部を削って係合凹部２２に構成してある。
本実施形態においても第１実施形態と同様に付勢バネ８と前側側壁３１とによって鉤部１３を挟み込んで係止するとともに、突片部２１と係合凹部２２の係合により、飾り体１をフック本体部２にしっかりと固定することができる。
【００３６】
（第３実施形態）
図６は本発明の第３実施形態を示す壁掛け用フックの縦断面図である。
この第３実施形態の特徴は、飾り体１が帽子をかぶった人形又は動物形に形成し、フック本体部２の鉤部１３の部分が完全に隠れるように飾り体１を下方に延びた形に構成した点にある。
【００３７】
また、この実施形態に係る飾り体１では、鉤部１３に対応する下方背面部分が大きく削られた削抜部３２となっており、鉤部１３に吊された紐１８の部分が正面から見えないので、人形又は動物形に形成した飾り体１が紐１８を持っているようにも見え、面白みを増すことができる。
【図面の簡単な説明】
【００３８】
【図１】図１は本発明の第１実施形態を示す壁掛け用フックの斜視図である。
【図２】図２はフック本体部の概略側面図である。
【図３】図３は飾り体を正面側から見た概略図である。
【図４】図４（Ａ）〜（Ｃ）はそれぞれ第１実施形態における飾り体とフック本体部の装着形態を説明するための図である。
【図５】図５は本発明の第２実施形態を示す壁掛け用フックの縦断面図である。
【図６】図６は本発明の第３実施形態を示す壁掛け用フックの縦断面図である。
【符号の説明】
【００３９】
１…飾り体、２…フック本体部、３…壁掛け用フック、４…飾り面、５…抜け防止具、６…挿入部、７…第１係合部、８…付勢バネ、１０…背面部、１１…第２係合部、１２…膨出部、１３…鉤部、１５…固定具、１９…逃げ部、２０…逃げ凹部、２１…突片部、２２…係合凹部、２４…第１傾斜面、２５…第２傾斜面、２７…ピン、２８…止め具。
【図１】
2005323696.tif 000003
【図２】
2005323696.tif 000004
【図３】
2005323696.tif 000005
【図４】
2005323696.tif 000006
【図５】
2005323696.tif 000007
【図６】
2005323696.tif 000008